(57)【要約】【課題】風量の損失を低減することのできる軸流ファンを提供することにある。【解決手段】モータ１３１と、軸方向に風を送るためにモータ１３１の回転軸に取着した動翼１３２と、略筒状をなし一端側に吸気口１２１、他端側に吐風口１２２を設け、その間に上記モータ１３１及び動翼１３２を含む部材を収容固定するケーシング１２とを備えてなる、上記ケーシング１２を把持して使用する軸流ファンであって、上記吸気口１２１と略同じ内径Ｗ１の小径部１７１及びこの小径部１７１に連設した大径部１７２を有する略筒状の拡径体１７をも備え、その小径部１７１の端部を上記吸気口１２１に接合し、上記大径部１７２を上記ケーシング１２の外方に突出させて、上記ケーシング１２を把持したときに上記大径部１７２を非閉塞状態になるようにする。【選択図】        図１
2004176603.tif 000002
【特許請求の範囲】
【請求項１】
一端側に吸気口、他端側に吐風口を設け、その間にモータ及びそのモータに取着した軸方向に風を送る動翼を収容固定した略筒状のケーシングを備えてなり、上記ケーシングを手で把持して使用する軸流ファンであって、
上記吸気口と略同じ内径の小径部及びこの小径部に連設した上記小径部より内径の大きい大径部を有する両端が開口した中空の拡径体をも備え、
上記大径部が上記ケーシングの外方に突出するよう上記小径部を上記吸気口に接合すると共に、
上記大径部は、上記ケーシングを手で把持したときに、その手により非閉塞状態になる大きさの径を有してなることを特徴とする軸流ファン。
【請求項２】
上記大径部は、その内径が上記吸気口の内径より１０ｍｍ以上大きいことを特徴とする請求項１に記載の軸流ファン。
【請求項３】
上記拡径体は、ベルマウス形状を有することを特徴とする請求項１又は請求項２に記載の軸流ファン。
【請求項４】
上記拡径体は、その内径が一方の端部から他方の端部に行くに従って漸次拡大する円錐台筒形状を有することを特徴とする請求項１又は請求項２に記載の軸流ファン。
【発明の詳細な説明】
【０００１】
【発明の属する技術分野】
本発明は、毛髪乾燥用のドライヤー等に好適な動翼の軸方向に風を送る軸流ファンに関する。
【０００２】
【従来の技術】
従来から、モータで回転させた動翼により送風を行なって毛髪等を乾燥させるのに好適な送風機が種々提案されている。このような送風機うち、電力消費が少なく効率が高く、小型化へも対応が容易なものに、動翼の軸方向に風を発生させる軸流ファンがある。この軸流ファンは、略筒状のケーシング内に、その軸方向と動翼の軸方向とを略一致させるように動翼及びモータを配置して、動翼で発生した風をケーシングの軸方向に流すようにしている。このような軸流ファンには、ケーシングを把持して使用するものと、ケーシングに略直交するように接続したハンドル部を把持して使用するものとがある。
【０００３】
上記のケーシングを把持して使用する軸流ファンにおいては、その把持のしやすさを向上させるため、ケーシングの外径を小さいものにすることが多く、従って、そのケーシングの内径も小さくなっている。これにより、図４に示すように、外気をケーシング１２内に取り込むときには、その外気を取り込む吸気口１２１の周辺において空気の流れが乱れ易くなり、ケーシング１２内に乱流Ｔ１が発生しやすくなる、ということがあった。これは、外気をケーシング１２内に吸い込んだとき、吸い込まれる空気は、広い大気下から狭いケーシング１２内に急激に移動するため、その吸気口１２１において、吸い込まれた空気がケーシング１２の内壁面から剥離することに起因している。この乱流Ｔ１の発生により、ケーシング１２内から吐出する風量が減少したり、また乱流Ｔ１による騒音も発生することがあった。そこで、吐出する風量の損失と騒音を低減させるため、図５に示すように、ベルマウス９１をケーシング内に収容させて、吸気口１２１に接続したものもあった（例えば、特許文献１参照）。
【０００４】
【特許文献１】
特開平６−１０８９４号公報
【０００５】
【発明が解決しようとする課題】
このようにケーシング１２内にベルマウス９１を設ければ、そのベルマウス９１を接続した吸気口１２１とケーシング１２内の空気の流れを滑らかにでき、吐出する風量の損失を低減しやすくなる。しかし、図４や図５に示すような、ケーシング１２を手で把持して使用する軸流ファンでは、その把持する部分が吸気口１２１の近傍になるため、ケーシング１２を手で把持したときに、吸気口１２１をも一緒に把持してしまい、その吸気口１２１を手で閉塞状態にしてしまうことがある。吸気口１２１を閉塞してしまうと、ケーシング１２内に吸い込む空気の量が減少するため、吐出する風量も減少してしまう。また、この軸流ファンのケーシング１２内にヒータ１４を収容させて、ドライヤーとして用いる場合には、吸気口１２１の閉塞により吸気量が減少したときであっても、空気を加熱するヒータ１４の発熱量は一定であるので、減少した空気に与えるはずであった熱量が余剰となって、ドライヤー自体の温度を過剰に高温にさせてしまうことがある。
【０００６】
そこで、本発明は上記問題点に鑑みてなされたもので、その目的とするところは、風量の損失を防止することのできる軸流ファンを提供することにある。
【０００７】
【課題を解決するための手段】
本発明の請求項１に係る軸流ファンは、一端側に吸気口、他端側に吐風口を設け、その間にモータ及びそのモータに取着した軸方向に風を送る動翼を収容固定した略筒状のケーシングを備えてなり、上記ケーシングを手で把持して使用する軸流ファンであって、上記吸気口と略同じ内径の小径部及びこの小径部に連設した上記小径部より内径の大きい大径部を有する両端が開口した中空の拡径体をも備え、上記大径部が上記ケーシングの外方に突出するよう上記小径部を上記吸気口に接合すると共に、上記大径部は、上記ケーシングを手で把持したときに、その手により非閉塞状態になる大きさの径を有してなることを特徴とする。
【０００８】
請求項２の発明では、請求項１の発明において、上記大径部は、その内径が上記吸気口の内径より１０ｍｍ以上大きいことを特徴とする。
【０００９】
請求項３の発明では、請求項１又は請求項２の発明において、上記拡径体は、ベルマウス形状を有することを特徴とする。
【００１０】
請求項４の発明では、請求項１又は請求項２の発明において、上記拡径体は、その内径が一方の端部から他方の端部に行くに従って漸次拡大する円錐台筒形状を有することを特徴とする。
【００１１】
【発明の実施の形態】
以下、本発明における軸流ファンに係る一実施の形態を、図１を参照して以下に説明する。
【００１２】
図１において、１２はケーシング、１２１は吸気口、１２２は吐風口、１３はモータ１３１と動翼１３２を備える送風ファン、１４はヒータ、１６は整髪用のブラシ、１７は拡径体、１７１は小径部、１７２は大径部、Ｗ１は吸気口１２１の内径、Ｗ２は大径部１７２の内径をそれぞれ示している。
【００１３】
ケーシング１２は、プラスチック等の材料を略円筒状に成形したものであって、その軸方向の一端側に外気の取り込み部分となる吸気口１２１を設け、他端側には送風ファン１３とヒータ１４とにより温風になした空気を吐出する吐風口１２２を設けている。また、ケーシング１２の内径は、吸気口１２１から送風ファン１３の手前までは略同じ大きさＷ１で、送風ファン１３から吐風口１２２までは、内径Ｗ１より若干大きくして、送風ファン１３及びヒータ１４を収容し易くするようにしている。このようにケーシング１２の内径を略同じ大きさにすることで、ケーシング１２の内径の増減による気圧、流量変化に伴う乱流の発生を抑制することができる。また、ケーシング１２の厚みはその全体で略同じ厚みにしている。従って、吸気口１２１から送風ファン１３に至るまでの部分のケーシング１２の外径も略同じ大きさになっている。なお、ケーシング１２の内径は必ずしも送風ファン１３を境にして変化させる必要はなく、ケーシング１２の全体において同じ大きさであってもよく、デザイン等を鑑みて適宜設定すればよい。ところで、図１においては、送風ファン１３を配置した部分において、ケーシング１２の外径が大きくなっていること及び、ケーシング１２を把持するとき、使用者は一般的により確実なグリップ感の獲得のため、太い部分よりも細い部分を把持する傾向が強いことから、ケーシング１２全体のうち、吸気口１２１と送風ファン１３との間の部分のケーシング１２の外壁面を把持する。
【００１４】
拡径体１７は、プラスチック等の材料を略円筒状に形成したものであって、その軸方向の両端を開口して、小径部１７１と大径部１７２とを形成している。図１においては、この拡径体１７を曲率半径Ｒのベルマウス形状に形成している。小径部１７１の内径は、吸気口１２１の内径Ｗ１と略同じ大きさで、小径部１７１の端部を吸気口１２１に接合したときに、その接合部分を滑らかにして、空気の流れを乱し難くしている。拡径体１７の内径は、その軸方向に沿って、小径部１７１から大径部１７２に至るにつれて、連続的に大きくなるようにしており、大径部１７２から吸い込んだ空気が、拡径体１７の内壁面及びケーシング１２の内壁面に沿って、滑らかに流れるようにしている。この大径部１７２は、その内径Ｗ２が吸気口１２１の内径Ｗ１よりも１０ｍｍ以上大きくなるように形成している。このように大径部１７２の径をケーシング１２よりも１０ｍｍ以上大きくすることにより、ケーシング１２の外壁面を手で把持したときに、大径部１７２が大きくて把持しにくいため、その大径部１７２を把持しないようにすることが可能となる。これにより、ケーシング１２を手で把持したときに、大径部１７２を手で閉塞状態にさせなくすることが可能となる。
【００１５】
上記の拡径体１７について、その具体的なサイズを以下に例示する。例えば、吸気口１２１の内径Ｗ１を５０ｍｍ、ケーシング１２の厚みを３ｍｍに設定したときに、大径部１７２の内径を吸気口１２１の内径に対して１６ｍｍ大きくしようとした場合で説明する。この場合、大径部１７２の内径Ｗ２は６６ｍｍ、吸気口１２１の外径Ｈ１は５６ｍｍになる。また、拡径体１７はベルマウス形状を有しており、その大径部１７２の端部で、その内壁が小径部１７１に対して９０度の角度をなすようにしたので、大径部１７２の端部の外径は、その内径と同じになり、６６ｍｍとなる。上記のように設定すれば、大径部１７２の外径が、ケーシング１２の外径Ｈ１より１０ｍｍ大きくなるため、使用者がケーシング１２を手で把持しようとしたときには、大径部１７２がケーシング１２より１０ｍｍ太く、また、突起状であるため、使用者にその大径部１７２を手で把持させにくくさせることが可能となる。これにより、この軸流ファンを使用しようとして、ケーシング１２を手で把持したときに、大径部１７２を手で閉塞状態にさせないようにすることができ、吐風口１２２からの風量の損失を低減させることが可能となる。
【００１６】
また、上記のように設定したときには、ベルマウスの曲率半径Ｒが５ｍｍとなるので、ベルマウスの曲率半径Ｒ及びケーシング１２の吸気口１２１の内径Ｗ１の比（以下、ベルマウスＲ／内径比）は、０．１となる。ところで、ベルマウスＲ／内径比と、吐風口１２２から出る風量の損失分の低減率（以下、圧損低減率）との関係を表わす図２に示すように、圧損低減率は、ベルマウスＲ／内径比が０．１までは急激に上昇し、そこからは少しづつ上昇していることが分かる。すなわち、ベルマウスＲ／内径比を大きくするほど、圧損低減率を向上させることができるが、ベルマウスＲ／内径比が大きくなると、それにつれてベルマウスのサイズも巨大になり、引いては軸流ファン自体のサイズを巨大にしてしまうことになる。そこで、上記のように、ベルマウスＲ／内径比を０．１になるように軸流ファンの各部分のサイズを設定すれば、軸流ファンのサイズを極度に大きくすることなく、効率的に圧損を低減させることが可能となる。
【００１７】
なお、図１においては、拡径体１７をベルマウス形状に形成して、小径部１７１から大径部１７２に至るまで連続的にその内径が大きくなるようにしていたが、その他にも例えば、図３（ａ）に示すように、ベルマウスの小径部１７１を管状に延設するようにしてもよい。すなわち、小径部１７１から所定の長さは同じ内径Ｗ１を有し、そこから大径部１７２まで連続的に内径が大きくなるようにしてもよい。また、図３（ｂ）に示すように、内径が一方の端部から他方の端部に行くに従って漸次拡大する円錐台筒形状に形成してもよい。
【００１８】
また、ヒータ１４には、電圧を印加することで発熱する発熱抵抗体を用いている。このような発熱抵抗体には、例えばニクロム線、カーボン抵抗体、カンタル線等を用いることができる。
【００１９】
以上、本発明の好適な実施の形態を説明したが、本発明はこの実施の形態に限らず、種々の形態で実施することができる。
【００２０】
【発明の効果】
上記のように本発明の請求項１に記載の軸流ファンは、一端側に吸気口、他端側に吐風口を設け、その間にモータ及びそのモータに取着した軸方向に風を送る動翼を収容固定した略筒状のケーシングを備えてなり、上記ケーシングを手で把持して使用する軸流ファンであって、上記吸気口と略同じ内径の小径部及びこの小径部に連設した上記小径部より内径の大きい大径部を有する両端が開口した中空の拡径体をも備え、上記大径部が上記ケーシングの外方に突出するよう上記小径部を上記吸気口に接合すると共に、上記大径部は、上記ケーシングを手で把持したときに、その手により非閉塞状態になる大きさの径を有してなるので、風量の損失を防止することができる、という効果を奏する。
【００２１】
本発明の請求項２に記載の軸流ファンによれば、請求項１の発明において、上記大径部は、その内径が上記吸気口の内径より１０ｍｍ以上大きいので、上記の効果に加えて、さらに風量の損失を防止することができる、という効果を奏する。
【００２２】
本発明の請求項３に記載の軸流ファンによれば、請求項１又は請求項２の発明において、上記拡径体は、ベルマウス形状を有するので、上記の効果に加えて、風量の損失を一層防止することができる、という効果を奏する。
【００２３】
本発明の請求項４に記載の軸流ファンによれば、請求項１又は請求項２の発明において、上記拡径体は、その内径が一方の端部から他方の端部に行くに従って漸次拡大する円錐台筒形状を有するので、上記の効果に加えて、風量の損失を一層防止することができる、という効果を奏する。
【図面の簡単な説明】
【図１】本発明に係る軸流ファンの一実施の形態における概略断面図である。
【図２】上記軸流ファンにおける、ベルマウス及び吸気口の内径の比と圧損低減率との関係を示すグラフである。
【図３】上記軸流ファンにおける、拡径体の別の形状の概略断面図である。
【図４】従来の軸流ファンの概略断面図である。
【図５】上記従来の軸流ファンにおいて、ベルマウスを設けた概略断面図である。
【符号の説明】
１２            ケーシング
１２１          吸気口
１２２          吐風口
１３１          モータ
１３２          動翼
１７            拡径体
１７１          小径部
１７２          大径部
Ｗ１            内径
Ｗ２            内径
９１            ベルマウス
【図１】
2004176603.tif 000003
【図２】
2004176603.tif 000004
【図３】
2004176603.tif 000005
【図４】
2004176603.tif 000006
【図５】
2004176603.tif 000007